(57)【要約】【課題】体液を吸収していない場合には、表面シートが実質的に平坦であり厚みが薄く、装着感及び携帯性に優れ、また、体液を吸収している場合にも装着感に優れる吸収性物品を提供すること。【解決手段】本発明の生理用ナプキン１は、縦長の扁平な形状をしており、液透過性の表面シート２、液不透過性の裏面シート３及び両シート間に介在された液保持性の吸収体４を具備している。生理用ナプキン１における表面シート２の排泄部対向領域Ｓにおける吸収体４との対抗面に、液体を吸収することによって収縮可能な吸液収縮部材５が配されており、該吸液収縮部材５は、それが収縮することで、表面シート２に複数の凸部２１、２１…が形成されるような接合パターンで該表面シート２に接合されている。【選択図】図１
2006334113.tif 000002
【特許請求の範囲】
【請求項１】
表面シートの排泄部対向領域における吸収体との対抗面に、液体を吸収することによって収縮可能な吸液収縮部材が配されており、
前記吸液収縮部材は、それが収縮することで、前記表面シートに複数の凸部が形成されるような接合パターンで該表面シートに接合されている吸収性物品。
【請求項２】
前記吸液収縮部材が糸状であり、前記吸収性物品の長手方向及び／又は幅方向に延びるように複数配されている請求項１記載の吸収性物品。
【請求項３】
前記吸液収縮部材がシート状である請求項１記載の吸収性物品。
【請求項４】
前記表面シートにおける前記吸液収縮部材の端部よりも外方の位置に、該吸液収縮部材の収縮方向と交差する方向に延びる線状の開口部又は線状の切れ目が設けられている請求項１〜３の何れかに記載の吸収性物品。
【請求項５】
前記吸液収縮部材の端部よりも外方の位置において、前記表面シートが、該吸液収縮部材の収縮方向と交差する方向に延びる折り線を有するように折り畳まれてひだを形成している請求項１〜３の何れかに記載の吸収性物品。
【請求項６】
相対向する一対のカバーシートが、それぞれ前記表面シートの長手方向又は幅方向の周縁部を覆うように設けられており、一対の該カバーシートの両端部が、該表面シートに接合されていると共に該両端部間において該カバーシートが該表面シートから離間している請求項１〜３の何れかに記載の吸収性物品。
【発明の詳細な説明】
【技術分野】
【０００１】
本発明は、生理用ナプキン、パンティライナー等の吸収性物品に関する。
【背景技術】
【０００２】
従来から、液体を吸収することによって弾性的に収縮する吸液収縮部材を有する吸収性物品が知られている。吸液収縮部材は、排出された体液を吸収して、その形状が収縮する部材として、主に吸収体と併せて用いられている。
【０００３】
例えば、本出願人は、先に特許文献１において、吸収体における表面層側の表面上及び吸収体の内部における該吸収体の表面層側の表面近傍に、液体を吸収することによって弾性的に収縮する吸液収縮部材が、吸収体を所定長に亘って収縮させるように備えられており、且つ吸収体が表面層の幅方向の中央部に所定幅の突堤が形成されるように配設されており、該突堤に吸液収縮部材が備えられている生理用ナプキンを提案している。しかし、このような構成の生理用ナプキンにおいて、その表面は、吸液前から突提による凸部を有するため、厚みがあり、嵩高となっている。
【０００４】
また、本出願人は、特許文献２において、吸収体における裏面シート側の表面上に、又は吸収体の内部における該吸収体の裏面シート側の表面近傍に、液体を吸収することによって弾性的に収縮する吸液収縮部材を配置し、該吸液収縮部材が収縮したときに、吸収体を表面シート側に向けて隆起させて、吸収性物品の側面視において表面全体の形状を凸形状にする生理用ナプキンを提案している。しかし、体液を吸収した生理用ナプキンの表面シートと着用者の肌とが密接しているため、着用者に違和感や不快感を与えたり、蒸れなどを感じる恐れがあった。
【０００５】
【特許文献１】特開平９−３２２９０８号公報
【特許文献２】特開２００１−３１４４４６号公報
【発明の開示】
【発明が解決しようとする課題】
【０００６】
厚みの薄い吸収性物品は、着用時の装着感に優れ、包装状態での携帯性にも優れている。また、吸収性物品の表面の排泄部対向領域に、複数の凸部を有していると、体液を吸収した際に、吸収性物品の表面と着用者の肌との接触面積が小さくなり、着用者に不快感を与えず、べたつかず且つ柔らかな装着感が着用者にもたらされる。
【０００７】
従って、本発明の目的は、体液を吸収していない場合には、表面の排泄部対向領域に凸部を有さないため、装着感及び携帯性に優れ、且つ、体液を吸収した場合には、表面の排泄部対向領域に複数の凸部が形成されて装着感に優れる吸収性物品を提供することにある。
【課題を解決するための手段】
【０００８】
本発明は、表面シートの排泄部対向領域における吸収体との対抗面に、液体を吸収することによって収縮可能な吸液収縮部材が配されており、該吸液収縮部材は、それが収縮することで、前記表面シートに複数の凸部が形成されるような接合パターンで該表面シートに接合されている吸収性物品を提供することにより、上記目的を達成したものである。
【発明の効果】
【０００９】
本発明の吸収性物品によれば、体液を吸収していない場合には、表面の排泄部対向領域に凸部を有さないため、装着感及び携帯性に優れ、且つ、体液を吸収した場合には、表面の排泄部対向領域に複数の凸部が形成されて湿潤感がなく、また装着感に優れる。
【発明を実施するための最良の形態】
【００１０】
以下、本発明の吸収性物品の好ましい第１実施形態について、図１及び図２を参照しながら説明する。
【００１１】
本発明の吸収性物品の第１実施形態としての生理用ナプキン１は、図１に示すように、縦長の扁平な形状をしており、液透過性の表面シート２、液不透過性の裏面シート３及び両シート間に介在された液保持性の吸収体４を具備している。
生理用ナプキン１における表面シート２の排泄部対向領域Ｓにおける吸収体４との対抗面に、液体を吸収することによって弾性的に収縮可能な吸液収縮部材５が配されており、該吸液収縮部材５は、それが収縮することで、表面シート２に複数の凸部２１、２１…が形成されるような接合パターンで該表面シート２に接合されている。
図１は吸液前のナプキン１を示している。吸液収縮部材５が収縮する前の状態の表面シート２の排泄部対向領域Ｓは、実質的に平坦である。
【００１２】
本実施形態の生理用ナプキン１における吸液収縮部材５について詳述すると、吸液収縮部材５は、糸状であり、表面シート２の排泄部対向領域Ｓに、該ナプキン１の長手方向に延びるように、且つ幅方向に沿って所定の間隔を置いて３本配されている。
本実施形態において、３本の糸状の吸液収縮部材５ａ、５ｂ、５ｃは、ナプキン１を長手方向に前方部Ａ、排泄部対向部（着用者の液排泄部に対向配置される排泄部対向領域を幅方向中央に有する部分）Ｂ及び後方部Ｃに区分した際の排泄部対向部Ｂに配されており、より詳細には排泄部対向部Ｂの幅方向中央部である排泄部対向領域Ｓに配されている。
ナプキン１の幅方向外側にそれぞれ位置する吸液収縮部材５ａ，５ｃと、幅方向中央に位置する吸液収縮部材５ｂとの距離は、ほぼ同じになっている。３本の糸状の吸液収縮部材５ａ、５ｂ、５ｃそれぞれは、その長さが略同じであることが好ましく、長手方向の前後端部それぞれのナプキン１における位置も略同じであることが好ましい。
【００１３】
糸状の吸液収縮部材５ａ、５ｂ、５ｃそれぞれは、図１に示すように、所定の間隔で設けられた接合部５１、５１…によって表面シート２と接合固定されて、表面シート２と一体的になっている。接合部５１、５１…の接合手段としては、融着、接着、圧着等が用いられる。該接合手段は、表面シート繊維の繊維密度が高くなる観点から、特に圧着が好ましく、本実施形態においては、ヒートエンボス加工により圧着されている。また、糸状の吸液収縮部材５ａ、５ｂ、５ｃそれぞれは、接合部５１、５１…間においては、表面シート２とは接合されてなく、自由状態となっている。
糸状の吸液収縮部材５ａ、５ｂ、５ｃそれぞれは、表面シート２の排泄部対向領域Ｓにおける吸収体４との対抗面に配されており、吸収体３とは接合されておらず、図１に示すように、該吸収体の上側に位置している。
【００１４】
３本の糸状の各吸液収縮部材５ａ、５ｂ、５ｃにおける接合部５１、５１…は、それぞれ、長手方向に略同じ間隔で、且つ幅方向に直線状に設けられている。
表面シート２の排泄部対向領域Ｓは、圧着されている接合部５１、５１…において、その表面がややへこんでいるものの、そのへこみの深さは０．１〜０．５ｍｍ程度であり、表面シート２の排泄部対向領域Ｓは、実質的に平坦な形状を有している。
【００１５】
次に、上述した構成を有するナプキン１が吸液した状態を、図２を参照しながら説明する。ナプキン１が液を吸収すると、吸収された液は、その一部が表面シート２を通じて各吸液収縮部材５ａ、５ｂ、５ｃにまで達する。吸液収縮部材５ａ、５ｂ、５ｃそれぞれにまで達した液は、吸液収縮部材５ａ、５ｂ、５ｃそれぞれによって吸収され、この吸収によって各吸液収縮部材５ａ、５ｂ、５ｃにおける接合部５１、５１…を除く部分５２、５２…は、それぞれ長手方向に沿って弾性的に収縮する。この収縮によって、表面シート２は、図２に示すように、長手方向に波打った形状となって、幅方向に沿う畝状の凸部２１、２１…及び溝状の凹部２２、２２…とが交互に並んで形成される。畝状の凸部２１、２１…は、各吸液収縮部材における接合部を除く部分５２、５２…の収縮により、その上に位置する表面シート２の部分が、上側に隆起して形成されている。また、溝状の凹部２２、２２…には、各吸液収縮部材における接合部５１、５１…が幅方向に直線状に並んでいる。前記凹部は、前記凸部に対して凹んだ形状を意味するものであり、必ずしも、前方部Ａ又は後方部Ｂにおける表面シート２よりも凹んでいることを意味するものではない（以下、同様）。このような等間隔の畝状の凸部及び溝状の凹部を形成する観点から、本実施形態における３本の吸液収縮部材５ａ，５ｂ，５ｃの収縮率は、それぞれ略同じであることが好ましい。
【００１６】
図２は、表面シート２の排泄部対向領域Ｓにおいて、吸液収縮部材５ａ、５ｂ、５ｃが配されている部分全体が、液を吸収して凸部を形成している様子が示されている。液の吸収が、ナプキン１における吸液収縮部材５ａ、５ｂ、５ｃが配されている部分の一部である場合には、その液の吸収があった一部において、表面シート２の凸部が形成される。
【００１７】
表面シート２の排泄部対向領域Ｓにおいて、液を吸収してクッション性を有する凸部が形成されると、着用者の排泄部に良好にフィットし易くなる。また、表面シート２が不織布等の繊維材料から構成されている場合は、溝状の凹部２２、２２…に配されている接合部５１、５１…それぞれは、繊維密度が比較的大きく、その他の部分との間に粗密勾配が形成されているため、液引き込み力が大きくなっている。比較的繊維密度が低いカード法によって形成されたウエブや熱融着法によって形成された不織布等が粗密勾配の点から望ましい。凸部が形成されている排泄部対向領域Ｓに、更に体液が排泄されると、畝状の凸部２１、２１…から溝状の凹部２２、２２…へと液が流れると共に、接合部５１、５１…へと速やかに液の移動が生じるため、表面シート２の排泄部対向領域Ｓで液を広げずもれにくい性能が発現できる。
【００１８】
畝状の凸部２１の高さＴ（凸部２１の頂部と凹部２２の底部との間の距離、図２参照）は、凸部に充分な圧縮変形性及び嵩高性を付与する観点から0.8〜3.0ｍｍ、特に1.0〜1.5ｍｍであることが好ましい。凸部２１の高さＴを上記範囲とすることで、容易に皮膚との接触面積を減少させることができ、着用中の肌が閉塞されることによるべたつき（湿潤感）、さらにムレやカブレの発生を防止することができる。また、表面シート２に更に吸収された液が凹部２２に到達するまでの距離が小さくなり、液の吸収が一層スムーズにいく。
【００１９】
本実施形態において、３本の糸状の吸液収縮部材５ａ、５ｂ、５ｃの吸液前の長さは、それぞれ70〜150ｍｍであることが好ましい。また、幅方向中央に配されている吸液収縮部材５ｂと幅方向外側に配されている吸液収縮部材５ａ、５ｃそれぞれとの間の距離は、10〜30ｍｍであることが好ましい。
吸液収縮部材５ａ、５ｂ、５ｃそれぞれにおいて、表面シート２との接合部５１、５１…は、吸液前の状態で、長手方向に5〜12ｍｍの間隔で設けられていることが好ましい。
【００２０】
本実施形態の生理用ナプキン１について、更に説明すると、裏面シート３の外面には、ナプキン１を着用者の着衣に固定するための粘着剤層が形成されている。前記粘着剤層は、図示しない剥離紙によって被覆されており、使用時まで保護されている。
表面シート２の長手方向の両側部それぞれは、吸収体４の両側縁から延出し、吸収体４と裏面シート３との間に巻き下げられ、吸収体４及び／又は裏面シート３と接合されている。
また、表面シート２及び裏面シート３の長手方向の両端部それぞれは、吸収体４の長手方向の両端縁から延出し、ヒートシール等の公知の接合法により接合されている。
【００２１】
吸液収縮部材５ａ，５ｂ，５ｃそれぞれの構成材料としては、本出願人の先の出願に係る特開平９−３２２９０８号公報の第４頁左欄４９行〜右欄１５行に記載のもの等が挙げられる。吸液収縮部材５ａ，５ｂ，５ｃは、吸液によって20〜60％、特に30〜40％収縮することが、上述した表面シート２の凸部が形成される点から好ましい。
また、表面シート２の坪量は、吸液収縮部材５ａ，５ｂ，５ｃの収縮により凸部が良好に発現され且つ良好な肌さわりを有するために、7〜40ｇ／ｍ2であることが好ましい。
表面シート２は、ゆがみのない畝状の凸部が形成される観点から、少なくとも長手方向に伸縮性を有することが好ましく、吸液収縮部材５の収縮力によって、ナプキン１の前方部Ａ及び後方部Ｂにおける表面シートが引っ張られた場合、容易に伸びることが好ましい。表面シート２の形成材料としては、従来の吸収性物品において用いられている各種の材料を用いることが出来るが、弾性繊維やウレタン繊維からなる伸縮性の不織布が好ましい。また、フィルムタイプであれば、開孔率が高いものが好ましい。
【００２２】
表面シート２と吸収体４は接合部５１で吸収体４が接着剤あるいはヒートシールで接合されており、液が表面シート２から吸収体４に速やかに吸収される。
【００２３】
本実施形態によれば、表面シート２の排泄部対向領域Ｓは、体液を吸収した部分において、表面に波状の凸部が形成されるため、肌との接触面積を低減させ、べたつかず且つやわらかな装着感を有する。また、表面シート２の排泄部対向領域Ｓは、体液を吸収していない部分においては、実質的に平坦なままであり、ナプキン１の厚みの薄い状態が維持されるので、なめらかさを有する着用時の装着性が維持される。
【００２４】
次に本発明の好ましい第２〜第８実施形態の生理用ナプキンを、図３〜図７を参照しながら説明する。第２〜第８実施形態について、特に説明しない点については、第１実施形態に関して詳述した説明が適宜適用される。また、図３〜図７において、図１及び図２と同じ部材に同じ符号を付してある。
【００２５】
第２実施形態の生理用ナプキン１は、図３に示すように、吸液収縮部材５、５…は、糸状であり、ナプキン１の排泄部対向領域Ｓに、該ナプキン１の長手方向及び幅方向それぞれに延びるように複数配されている。図３は、吸液前のナプキン１を示している。
本実施形態の生理用ナプキン１において、長手方向に延びるように配されている糸状の吸液収縮部材５、５…それぞれは、略同じ長さであることが好ましく、長手方向の前後端部それぞれのナプキン１における位置は略同じであることが好ましい。幅方向に延びるように配されている糸状の吸液収縮部材５、５…それぞれも、略同じ長さであることが好ましく、幅方向の両側部それぞれのナプキン１における位置は略同じであることが好ましい。
長手方向及び幅方向に延びるように配されている糸状の吸液収縮部材５、５…それぞれは、略同じ間隔で配されている。
【００２６】
本実施形態の生理用ナプキン１において、糸状の吸液収縮部材５、５…それぞれは、図３に示すように、長手方向及び幅方向それぞれに配されている糸状の吸液収縮部材５、５…の交差部における接合部５１、５１…によって、表面シート２と接合固定されて、表面シート２と一体的になっている。
上述したように形成された接合部５１、５１…は、長手方向及び幅方向それぞれに直線状に略等間隔に配されている。
【００２７】
次に、上述した構成を有するナプキン１が吸液した状態を、図４を参照しながら説明する。液の吸収によって、吸液収縮部材５、５…における接合部５１、５１…を除く部分５２、５２…は、それぞれ収縮して、表面シート２の排泄部対向領域Ｓに、ドーム状の凸部２１、２１…が、海島状に形成される。図４は、表面シート２の排泄部対向領域Ｓにおいて、吸液収縮部材５、５…が配されている部分全体が、液を吸収して凹凸部を形成している様子が示されている。
ドーム状の凸部２１、２１…それぞれは、隣接する長手方向に亘る吸液収縮部材５、５、及び隣接する幅方向に亘る吸液収縮部材５、５によって囲まれた正方形状（液を吸収する前において、図３参照）の４辺を構成する前記部分５２、５２…が、液吸収後それぞれ収縮し、表面シート２における前記正方形状部分が、上側に隆起して形成される。また、略矩形形状の凹部２２、２２…は、ヒートエンボス加工による接合部５１、５１…である。
【００２８】
本実施形態のナプキン１において、凸部２１の形成性および形状保持性の観点から、長手方向及び幅方向における接合部５１、５１…は、吸液前の状態で、それぞれに5〜12ｍｍの間隔で設けられていることが好ましい。
また、表面シート２は、ゆがみのないドーム状の凸部２１が形成される観点から、長手方向と共に幅方向にも、伸縮性を有していることが好ましい。
【００２９】
本実施形態によれば、表面シート２の排泄部対向領域Sに、４角錐台形状の凸部２１、２１…が、長手方向にも幅方向にも不連続に形成されているため、第１実施形態よりも、着用者の肌との接触面積が低減して、装着感が高められている。
また、繊維密度の比較的高い凹部２２、２２…の数が、第１実施形態よりも多く設けられており、液引き込み力が高められている。
【００３０】
第３実施形態の生理用ナプキン１は、図５に示すように、表面シート２における糸状の吸液収縮部材５ａ、５ｂ、５ｃそれぞれの長手方向の両端部よりも外方の位置に、該吸液収縮部材５ａ、５ｂ、５ｃそれぞれの収縮方向と交差する方向に延びる線状の切れ目が設けられている。
詳述すると、ナプキン１における前方部Ａ及び後方部Ｂそれぞれの表面シート２に、幅方向に沿って、線状の切れ目６、６…が複数設けられている。図５は、吸液前のナプキン１を示している。
本実施形態のナプキン１において、表面シート２の排泄部対向領域Ｓに体液が吸収されると、表面シート２は、図２に示すのと同様に、長手方向に波打った形状となり、畝状の凸部２１、２１…と、溝状の凹部２２、２２…とが交互に並んで形成される。この時、吸液収縮部材５ａ、５ｂ、５ｃそれぞれにおける接合部５１、５１…を除く部分５２、５２…は、長手方向に沿って収縮し、ナプキン１の前方部Ａ及び後方部Ｂは、それぞれ排泄部対向領域Ｓの方へ引っ張られて、線状の切れ目６、６…が開口する。
【００３１】
本実施形態のナプキン１における線状の切れ目６、６…は、それぞれ同じ長さであることが好ましく、その長さは、凸部２１形成時の開口の追従性の観点から、5〜15ｍｍであることが好ましい。
【００３２】
本実施形態によれば、表面シート２には複数の線状の切れ目６、６…が設けられているため、吸液後の表面シート２の排泄部対向領域Ｓには、ゆがみのない凹凸部が形成される。また、表面シート２は、伸縮性を有していなくても良い。
【００３３】
第４実施形態の生理用ナプキン１は、図６に示すように、糸状の吸液収縮部材５ａ、５ｂ、５ｃの幅方向の両端部よりも外方の位置において、表面シート２が、糸状の吸液収縮部材５ａ、５ｂ、５ｃの収縮方向と交差する方向に延びる折り線を有するように、折り畳まれてひだ７，７を形成している。
詳述すると、本実施形態におけるナプキン１の一対のひだ７、７は、ナプキン１の両側部１１、１１において、ナプキン1の長手方向の両端部に亘るように設けられており、該両端部において、裏面シート３と接合されている。また、本実施形態におけるナプキン1の糸状の吸液収縮部材５ａ、５ｂ、５ｃは、幅方向に延びるように配されており、吸液により幅方向に沿って収縮する。一対のひだ７、７は、それぞれ、吸液収縮部材５の収縮方向と交差する方向である長手方向に延びる折線を有して折り畳まれている。
本実施形態において、糸状の吸液収縮部材５ａ、５ｂ、５ｃそれぞれは、幅方向に延びるように且つ長手方向に沿って所定の間隔を置いて３本配されており、それぞれの配されている向きが、上述した第１実施形態と異なるが、その他の吸液収縮部材５ａ、５ｂ、５ｃについての説明は、上述した説明が適宜適用される。図６は、吸液前のナプキン１を示している。
【００３４】
本実施形態のナプキン１において、表面シート２の排泄部対向領域Ｓに体液が吸収されると、表面シート２は、幅方向に波打った形状となり、長手方向に沿う畝状の凸部２１、２１…及び溝状の凹部２２、２２…が交互に並んで形成される。この時、吸液収縮部材５ａ、５ｂ、５ｃそれぞれにおける接合部５１、５１…を除く部分５２、５２…は、幅方向に沿って収縮し、ナプキン１の長手方向の両端部に亘る一対のひだ７、７は、それぞれ、折り畳まれている状態から、排泄部対向領域Ｓの中央部へ引っ張られて伸びる。
【００３５】
本実施形態によれば、ナプキン１の長手方向の両端部に亘る一対のひだ７、７は、それぞれ、排泄部対向領域Ｓへ引っ張られて伸びるようになされているため、吸液後の表面シート２の排泄部対向領域Ｓには、ゆがみのない凸部が形成される。また、表面シート２は、伸縮性を有していなくても良い。
【００３６】
第５実施形態の生理用ナプキン１は、図７に示すように、ナプキン１の両側部１１、１１に、相対向する一対のカバーシート８、８が、それぞれ表面シート２の長手方向の周縁部を覆うように設けられており、一対の該カバーシート８、８の両端部が、表面シート２に接合されていると共に該両端部間においてカバーシート８が該表面シート２から離間している。
詳述すると、本実施形態におけるナプキン１の一対のカバーシート８、８は、ナプキン１の両側部１１、１１において、ナプキン1の長手方向の両端部に亘るように設けられており、該両端部において、表面シート２と共に裏面シート３と接合されている。本実施形態におけるナプキン１の表面シート２の両側部２４、２４は、一対のカバーシート８、８それぞれの長手方向の内側の側部により、ナプキン１の前後端部に亘って、所定の幅が覆われている。
一対のカバーシート８、８が表面シートを覆っている部分は、それぞれ、長手方向の両端部を除いて表面シート２と接合されてなく、表面シート２から離間している。ここで、離間とは、常に離れた状態を意味するものではなく、互いに接合されていない状態をいい、互いに当接している状態も含まれる。
また、本実施形態において、糸状の吸液収縮部材５ａ、５ｂ、５ｃそれぞれは、幅方向に延びるように且つ長手方向に沿って所定の間隔を置いて３本配されており、上述した第４実施形態と同様である。図７は、吸液前のナプキン１を示している。
【００３７】
本実施形態のナプキン１において、表面シート２の排泄部対向領域Ｓに体液が吸収されると、表面シート２は、幅方向に波打った形状となり、長手方向に沿う畝状の凸部２１、２１…及び溝状の凹部２２、２２…が複数交互に並んで形成される。この時、吸液収縮部材５ａ、５ｂ、５ｃそれぞれにおける接合部５１、５１…を除く部分５２、５２…は、幅方向に沿って収縮する。表面シート２の長手方向の両側部２４、２４は、その前後端部を除いて、どの部位とも接合されていない自由端部を形成しているので、排泄部対向部Ｂにおける表面シート２の幅が収縮する。
排泄部対向部Ｂにおける表面シート２の幅が収縮する際、表面シート２の長手方向の両側部は、一対のカバーシート８、８により覆われているため、表面シート２に下に位置する吸収体４は、ナプキン１の表面に露出しないことが好ましい。この観点から、一対のカバーシート８、８における長手方向の両端部それぞれが、表面シート２の側部２４を覆っている幅は、10〜20ｍｍであることが好ましい。
また、本実施形態のナプキン１が液を吸収した際に、表面シート２には、排泄部対向部Ｂと前方部Ａ及び後方部Ｂそれぞれとの間で、引張り応力が発生するので、この内部応力を緩和する観点から、長手方向及び幅方向それぞれに伸縮性を有することが好ましい。また、カバーシート８は、撥水性である方が好ましく、この場合、中央部からの液にじみによるモレを防止するのに有効である。
【００３８】
第６実施形態の生理用ナプキン１は、吸収体４の幅が、吸液前の表面シート２の幅の60〜80％であることが好ましい。裏面シート３の幅は吸収体４と同じである。表面シート２の長手方向の両側部それぞれは、吸収体４の両側縁から延出し、吸収体４と裏面シート３との間に巻き下げられ、吸収体４及び／又は裏面シート３と接合されており、その構成は、第１実施形態とほぼ同様であるが、吸収体４の長手方向の両側部と表面シート２の長手方向の両側部との間には、自然状態において、それぞれ空間が設けられている。吸収体４及び表面シート２の幅が長手方向に亘って一定でない場合には、該幅は、その最大の値である。また、表面シート２及び吸収体４の幅は、ナプキン１の自然状態において、平面視した場合の幅である。また、ナプキン１の自然状態とは、重力以外の外力が、ナプキン１に実質的に働いていない状態をいう。
また、本実施形態において、糸状の吸液収縮部材５ａ、５ｂ、５ｃは、幅方向に延びるように且つ長手方向に沿って所定の間隔を置いて３本配されており、上述した第４実施形態と同様である。
【００３９】
本実施形態のナプキン１において、表面シート２の排泄部対向領域Ｓに、体液が吸収されると、表面シート２は、幅方向に波打った形状となり、長手方向に沿う畝状の凸部２１、２１…及び溝状の凹部２２、２２…が複数交互に並んで形成される。この時、吸液収縮部材５ａ、５ｂ、５ｃそれぞれにおける接合部５１、５１…を除く部分５２、５２…は、幅方向に沿って収縮して、表面シート２の長手方向の両側部２４、２４が内側へ引っ張られる。表面シート２の長手方向の両側部２４、２４は、上述したように、吸収体の長手方向の両側部と接しておらず、幅方向に一定の範囲で自由に動くことができるため、排泄部対向部Ｂの中央部に向って移動し、表面シート２の幅は狭まる。
【００４０】
本実施形態の表面シート２の幅は、吸液収縮部材５ａ、５ｂ、５ｃが吸液して最小に収縮した際に、吸収体４の長手方向の両側部と表面シート２の長手方向の両側部との間それぞれの空間が、ちょうどなくなる程度だけ、吸収体４の幅よりも大きいことが好ましい。
【００４１】
第７実施形態の生理用ナプキン１は、吸収体４の長手方向の曲げ剛性が15cN以下であることが好ましい。また、表面シート２は伸縮性を有さないことが好ましい。その他は、第１実施形態と同様である。
本実施形態のナプキン１が吸液した場合、３本の糸状の吸液収縮部材５ａ、５ｂ、５ｃが収縮すると共に、排泄部対向部Ｂの表面シート２が長手方向に沿って収縮する際、吸収体４の長手方向の剛性が低いため、ナプキン１は、吸収体４と共に長手方向において表面側に凹に湾曲し、着用者の肌へのフィット性が高められる。
【００４２】
吸収体の長手方向の前記曲げ剛性の測定方法は、下記の通りである。
前記曲げ剛性の測定方法は、JIS L-1096に規定された試験機ハンドロメーター（型式HOM-2）を用いて測定する。5cm×5cmに試験片を切り出し、試料台の上に試験片の長手方向がスロット（スロット幅30mm）と直角になるように置く。試験片を押圧して、その値を読み取る。
【００４３】
第８実施形態の生理用ナプキン１は、吸収体４の長手方向及び幅方向それぞれの曲げ剛性が15ｃＮ以下であることが好ましい。また、表面シート２は伸縮性を有さないことが好ましい。その他は、第２実施形態と同様である。
本実施形態のナプキン１が吸液した際、吸収体４の剛性が低いため、ナプキン1は、吸収体４と共に長手方向及び幅方向において表面側に凹に湾曲し、着用者の肌へのフィット性が高められる。吸収体の幅方向の前記曲げ剛性を測定する際には、試験片の幅方向がスロットと直角になるように置くことを除いて、上述の通りである。
【００４４】
本発明の吸収性物品は、上述した実施形態に制限されることなく、本発明の趣旨を逸脱しない限り適宜変更が可能である。
例えば、本発明の吸収性物品において、吸液収縮部材が、シート状であり、前記吸収性物品の排泄部対向領域に配されていることも好ましい。シート状の前記吸液収縮部材は、次のようなものがある。
ポリビニールアルコールシートを短冊状にしたもの、又は収縮性を有するファイバー（カルボキシル基を含有する変性ポリビニルアルコール、イタコン酸を共重合したポリビニルアルコール、ポリビニルアルコールを湿式紡糸して得られるトウ）を、カード法又はランダム法でウエブ化し、ニードルパンチにより不織布シート化したものが好ましい。該シートを、短冊状で、あるいは排泄部対向領域全面に相当する大きさで用いることができる。また、開孔したポリビニールアルコールシートを合成繊維からなる不織布と部分的にシールして一体化し、排泄部対向領域全面に相当する大きさで用いることができる。
【００４５】
本発明の第３実施形態においては、糸状の吸液収縮部材５が長手方向に延びるように配されているが、表面シート２の排泄部対向領域Ｓに糸状の吸液収縮部材を幅方向に延びるように配し、排泄部対向部Ｂにおける表面シート２の両側部に、長手方向に沿って、線状の開口部又は線状の切れ目を設けても良い。
【００４６】
第４実施形態においては、糸状の吸液収縮部材５が幅方向に延びるように配されているが、表面シート２の排泄部対向領域Ｓに糸状の吸液収縮部材を長手方向に延びるように配し、表面シート２の長手方向の両端部に、吸液収縮部材５の収縮方向と交差する方向に延びる折り線を有するように折り畳まれたひだを形成しても良い。
【００４７】
第５実施形態においては、糸状の吸液収縮部材５が幅方向に延びるように配されていたが、表面シート２の排泄部対向領域Ｓに糸状の吸液収縮部材を長手方向に延びるように配し、ナプキン１の前後端部１２、１２に、相対向する一対のカバーシート８、８が、それぞれ表面シート２の幅方向の周縁部を覆うように設けられており、一対の該カバーシート８、８の両端部が、表面シート２に接合されていると共に該両端部間においてカバーシート８が該表面シート２から離間していても良い。
本発明の吸収性物品は、生理用ナプキン以外に、パンティライナー（おりものシート）、失禁パッド等であっても良い。
【図面の簡単な説明】
【００４８】
【図１】図１は、本発明の生理用ナプキンの第１実施形態を模式的に示す一部破断平面図である。
【図２】図２は、第１実施形態の排泄部対向部における表面シートが液を吸収した状態の要部を模式的に示す斜視図である。
【図３】図３は、本発明の生理用ナプキンの第２実施形態を模式的に示す平面図である。
【図４】図４は、第２実施形態における排泄部対向部の表面シートが液を吸収した状態の要部を模式的に示す斜視図である。
【図５】図５は、本発明の生理用ナプキンの第３実施形態を模式的に示す平面図である。
【図６】図６は、本発明の生理用ナプキンの第４実施形態を模式的に示す平面図である。
【図７】図７は、本発明の生理用ナプキンの第５実施形態を模式的に示す平面図である。
【符号の説明】
【００４９】
１      生理用ナプキン（吸収性物品）
１１  長手方向の側部
１２  長手方向の端部
２      表面シート
２１  凸部
２２  凹部
２４  表面シートの長手方向の側部
３      裏面シート
４      吸収体
５      吸液収縮部材
５１  接合部
５２  接合部を除く部分
６      線状の切れ目
７      表面シートのひだ
８      カバーシート
Ａ      前方部
Ｂ      排泄部対向部
Ｃ      後方部
Ｓ      排泄部対向領域
【図１】
2006334113.tif 000003
【図２】
2006334113.tif 000004
【図３】
2006334113.tif 000005
【図４】
2006334113.tif 000006
【図５】
2006334113.tif 000007
【図６】
2006334113.tif 000008
【図７】
2006334113.tif 000009